(57)【特許請求の範囲】
【請求項１】
被検眼の所定部位を形成する細胞画像を取得する眼科撮影装置であって、
波面補償デバイスによって波面収差が補償された状態での被検眼からの反射光を受光する受光素子を備える撮影光学系と、
前記受光素子から出力される受光信号の振幅を増幅した信号である増幅受光信号を出力する信号増幅部と、
前記信号増幅部からの増幅受光信号を所定の階調範囲で量子化し、細胞画像として取り込むための画像形成部と、
前記画像形成部によって取得される細胞画像を解析して前記細胞画像における一部又は全部の領域における階調分布を、前記細胞画像における階調値毎の画素数に関するヒストグラムとして取得し、前記ヒストグラムにおける低輝度側端部の階調値が前記細胞画像において取り得る最小階調値よりも大きく、前記ヒストグラムにおける高輝度側端部の階調値が前記細胞画像において取り得る最大階調値よりも小さくなる範囲において、前記低輝度側端部の階調値と前記高輝度側端部の階調値との差が、予め定められた閾値であって前記細胞画像を表す階調範囲の７０パーセント以上で予め定められた閾値よりも大きくなるように、前記受光信号を増幅するためのオフセットおよびゲインの少なくとも一方を、調整する増幅制御部と、を有し、
前記画像形成部は、前記信号増幅部が前記増幅制御部によって調整された後に、新たな前記細胞画像を取り込むことを特徴とする眼底撮影装置。
【請求項２】
新たな前記細胞画像における細胞頂点と前記細胞頂点を囲む周辺部分との輝度の差を利用して、新たな前記細胞画像から細胞を検出する検出処理手段を、更に有する請求項１記載の眼底撮影装置。
【請求項３】
解析処理の対象範囲である注目領域を前記細胞画像の一部の領域に対して設定する領域設定手段を有し、
前記増幅制御部は、前記注目領域が設定された場合は、前記注目領域における階調分布に基づいてオフセットおよびゲインを調節することを特徴とする請求項１又は２記載の眼底撮影装置。
【発明の詳細な説明】
【技術分野】
【０００１】
本開示は、被検眼の波面収差を補正した状態で被検眼の眼底像を撮影する眼底撮影装置に関する。
【背景技術】
【０００２】
シャックハルトマンセンサーなどの波面センサを用いて眼の波面収差を検出し、その検出結果に基づいて波面補償デバイスを制御し、波面補償後の眼底画像を細胞レベルで撮影する装置が知られている。このような装置によって得られた眼底画像は、例えば、細胞密度解析等の眼底の細胞に関する解析処理に使用可能である（特許文献１参照）。
【先行技術文献】
【特許文献】
【０００３】
【特許文献１】特開２０１４−１１０８２５号公報
【発明の概要】
【発明が解決しようとする課題】
【０００４】
ここで、眼底画像において、明るすぎていわゆる白とびが生じたり、明るさが不足していわゆる黒つぶれが生じたりする場合、それぞれの細胞が適正に検出され難くなる。その結果、例えば、上記の細胞に関する解析処理によって、適正な処理結果が得られない場合がある。また、解析処理において良好な処理結果を得るには、画像のコントラストについても考慮する必要がある。
【０００５】
本開示は、従来技術の問題点に鑑み、眼底の細胞に関する解析に適した良好な眼底画像を得ることができる眼底撮影装置を提供することを目的とする。
【課題を解決するための手段】
【０００６】
本開示の第１態様に係る眼底撮影装置は、被検眼の所定部位を形成する細胞画像を取得する眼科撮影装置であって、波面補償デバイスによって波面収差が補償された状態での被検眼からの反射光を受光する受光素子を備える撮影光学系と、前記受光素子から出力される受光信号の振幅を増幅した信号である増幅受光信号を出力する信号増幅部と、前記信号増幅部からの増幅受光信号を所定の階調範囲で量子化し、細胞画像として取り込むための画像形成部と、前記画像形成部によって取得される細胞画像を解析して前記細胞画像における一部又は全部の領域における階調分布を、前記細胞画像における階調値毎の画素数に関するヒストグラムとして取得し、前記ヒストグラムにおける低輝度側端部の階調値が前記細胞画像において取り得る最小階調値よりも大きく、前記ヒストグラムにおける高輝度側端部の階調値が前記細胞画像において取り得る最大階調値よりも小さくなる範囲において、前記低輝度側端部の階調値と前記高輝度側端部の階調値との差が、予め定められた閾値であって前記細胞画像を表す階調範囲の７０パーセント以上で予め定められた閾値よりも大きくなるように、前記受光信号を増幅するためのオフセットおよびゲインの少なくとも一方を、調整する増幅制御部と、を有し、前記画像形成部は、前記信号増幅部が前記増幅制御部によって調整された後に、新たな前記細胞画像を取り込む。
【発明の効果】
【０００７】
本開示の眼底撮影装置によれば、眼底の細胞に関する解析に適した良好な眼底画像を得ることができるという効果がある。
【図面の簡単な説明】
【０００８】
【図１】本実施形態における眼底撮影装置の光学系を示した模式図である。
【図２】第１眼底画像の一例を示した図である。
【図３】眼底撮影装置の制御系を示したブロック図である。
【図４】特に、図３において、第1眼底画像（ＡＯ−ＳＬＯ画像）を形成するために用いる回路の構成を、より詳細に示した図である。
【図５】制御部によって実行されるメイン処理の一例を示したフローチャートである。
【図６】増幅制御処理の一例を示したフローチャートである。
【図７Ａ】第１眼底画像の階調分布におけるヒストグラムの一例であり、信号増幅部における増幅制御が適正である場合におけるヒストグラムの一例を示す。
【図７Ｂ】第１眼底画像の階調分布におけるヒストグラムの一例であり、白とびと、黒つぶれの両方が発生した第１眼底画像におけるヒストグラムの一例を示す。
【図７Ｃ】第１眼底画像の階調分布におけるヒストグラムの一例であり、白とびが発生した第１眼底画像におけるヒストグラムの一例を示す。
【図７Ｄ】第１眼底画像の階調分布におけるヒストグラムの一例であり、黒つぶれが発生した第１眼底画像におけるヒストグラムの一例を示す。
【図７Ｅ】第１眼底画像の階調分布におけるヒストグラムの一例であり、ゲインが高すぎる状態の第１眼底画像におけるヒストグラムの一例を示す。
【図８】ＲＯＩが設定された場合の第１眼底画像の一例を示した図である。
【発明を実施するための形態】
【０００９】
以下、図面を参照して、典型的な実施形態を説明する。眼底撮影装置１は、被検眼の波面収差を補正した状態で被検眼の眼底像を撮影する波面収差補償付眼底撮影装置（ＡＯ―ＳＬＯ）である。
【００１０】
初めに、図１を参照して、眼底撮影装置１の光学系について説明する。本実施形態の撮影装置１は、眼底撮像光学系１００と、波面収差検出光学系（以下、収差検出光学系と記載する。）１１０と、収差補償ユニット２０，７２と、第２撮影ユニット２００と、前眼部観察ユニット７００と、を備える。
【００１１】
眼底撮像光学系１００は、被検眼Ｅにレーザー光（照明光）を投光すると共に、レーザー光の眼底による反射光を受光して被検眼Ｅの眼底像を撮影する。被検眼Ｅの眼底は、眼底撮像光学系１００によって、高解像度（高分解能）・高倍率で撮影される。以下のように、眼底撮像光学系１００は、例えば、共焦点光学系を用いた走査型レーザー検眼鏡の構成を有してもよい。眼底撮像光学系１００は、第１照明光学系１００ａと、第１撮影光学系１００ｂと、を備える。また、本実施形態において、収差補償ユニット２０，７２は、収差補償ユニット２０，７２は、被検眼の収差を補正するために眼底撮像光学系１００に配置される。なお、収差補償ユニットとしては、被検眼の低次収差（視度：例えば、球面度数）を補正するための視度補正部２０と、被検眼の高次収差を補正するための高次収差補償部（波面補償デバイス）７２と、に大別される。
【００１２】
第１照明光学系１００ａは、被検眼Ｅにレーザー光を照射すると共にレーザー光を眼底上で走査することによって、眼底を２次元的に照明する。第１照明光学系１００ａは、光源１１（第１光源）から眼底に到るまでの光路において、光源１１、レンズ１２、偏光ビームスプリッタ（ＰＢＳ）１４、ビームスプリッタ（ＢＳ）７１、凹面ミラー１６、凹面ミラー１７、平面ミラー１８、収差補償ユニット７２（波面補償デバイス７２）、ビームスプリッタ（ＢＳ）７５、凹面ミラー２１、凹面ミラー２２、走査部２５、凹面ミラー２６、凹面ミラー２７、平面ミラー３１、レンズ３２、平面ミラー３３、収差補償ユニット２０（視度補正部２０）、平面ミラー３５、凹面ミラー３６、偏向部４００、ダイクロイックミラー９０、凹面ミラー４１、平面ミラー４２、平面ミラー４３、および、凹面ミラー４５、を有する。
【００１３】
光源１１は、レーザー光を出射する。光源１１から出射されたレーザー光は、レンズ１２により平行光とされた後、ＰＢＳ１４、ＢＳ７１、凹面ミラー１６，１７、平面ミラー１８を介して、波面補償デバイス７２に入射する。本実施形態において、レーザー光は、ＰＢＳ１４を通過することによって、Ｓ偏光成分のみの光束とされる。波面補償デバイス７２は、入射光の波面を制御することによって、被検眼の高次収差を補正する。波面補償デバイス７２の詳細構成については後述する。本実施形態において、レーザー光は、波面補償デバイス７２からＢＳ７５に導かれた後、凹面ミラー２１、凹面ミラー２２で反射され、走査部２５に向かう。
【００１４】
本実施形態において、走査部２５は、レーザー光を眼底上で２次元的に走査するために偏向部４００と共に使用される。走査部２５は、レーザー光の主走査に使用されるレゾナントミラーである。レーザー光は、走査部２５によって、眼底上でＸ方向に走査される。
【００１５】
走査部２５を経た光は、凹面ミラー２６，２７、平面ミラー３１、レンズ３２、平面ミラー３３を介して、視度補正部２０へ入射される。
【００１６】
視度補正部２０は、視度補正を行うためのユニットである。視度補正部２０は、駆動部２０ａのほかに、レンズおよび平面ミラーを１対ずつ有する。視度補正部２０の平面ミラーおよびレンズが駆動部２０ａによって所定方向に移動されることで、光路長が調節される。その結果として、被検眼Ｅの視度の誤差が矯正される。
【００１７】
視度補正部２０から平面ミラー３５へ導かれた照明光は、凹面ミラー３６に反射され、偏向部４００に向かう。
【００１８】
偏向部４００は、光源１１から出射されたレーザー光を眼底上で垂直方向（Ｙ方向）に走査する。さらに、偏向部４００は、眼底におけるレーザー光の走査範囲を移動させるためにも使用される。例えば、本実施形態において、偏向部４００は、レーザー光を偏向する方向が異なる２つの光スキャナ（具体例としては、ＸガルバノミラーおよびＹガルバノミラー）を有していてもよい。
【００１９】
偏向部４００を経た光は、ダイクロイックミラー９０、凹面ミラー４１、平面ミラー４２，４３、および凹面ミラー４５を経て、被検眼Ｅの瞳孔内に導かれる。レーザー光は、被検眼Ｅの眼底面上で集光する。眼底上では、前述したように、走査部２５および偏向部４００の動作によって、レーザー光が２次元的に走査される。
【００２０】
また、ダイクロイックミラー９０は、後述する第２撮影ユニット２００からの光束を透過させ、光源１１および後述する光源７６からの光束を反射させる特性を持つ。なお、光源１１および光源７６の出射端と被検眼Ｅの眼底とは共役とされている。このようにして、第１照明光学系１００ａが形成される。
【００２１】
次に、第１撮影光学系１００ｂを説明する。第１撮影光学系１００ｂは、眼底に照射されたレーザー光の反射光を受光素子５６によって受光する。眼底撮影装置１は、第１眼底画像（本実施形態では、ＡＯ−ＳＬＯ画像、図２参照）を、受光素子５６からの信号に基づいて取得する。第１撮影光学系１００ｂは、被検眼ＥからＢＳ７１までの光路を、第１照明光学系１００ａと共用する。また、第１撮影光学系１００は、ＢＳ７１の反射側光路に配置された要素、即ち、平面ミラー５１、ＰＢＳ５２、レンズ５３、ピンホール板５４、レンズ５５、および、受光素子５６を有している。なお、本実施形態では、受光素子５６はＡＰＤ（アバランシェフォトダイオード）が用いられている。また、ピンホール板５４は、眼底と共役な位置に置かれる。
【００２２】
光源１１からのレーザー光の眼底反射光は、前述した第１照明光学系１００ａを逆に辿り、ＢＳ７１、平面ミラー５１のそれぞれで反射され、ＰＢＳ５２にてＳ偏光の光だけ透過される。この透過光は、レンズ５３を介してピンホール板５４のピンホールに焦点を結ぶ。ピンホールで焦点を結んだ反射光は、レンズ５５を経て受光素子５６に受光される。なお、照明光の一部は角膜上で反射されるが、ピンホール板５４により大部分が除去される。よって、受光素子５６は、角膜反射の影響を抑えて、眼底からの反射光を受光できる。
【００２３】
詳細は後述するが、受光素子５６からの受光信号が、画像処理部（例えば、制御部８００）等で処理されることにより、第１眼底画像が形成される。本実施形態において、１フレームの眼底画像は、走査部２５の主走査と、偏向部４００に設けられたＹ走査用のガルバノミラーの副走査によって形成される。なお、第１撮影ユニット１００で取得する眼底画像（眼底像）の画角が所定の角度となるように走査部２５および偏向部４００におけるミラーの振れ角（揺動角度）を定める。ここでは、眼底の所定の範囲を高倍率で観察、撮影する（ここでは、細胞レベルでの観察等をする）ために、画角を１度〜５度程度とする。本実施形態では、１．５度とする。被検眼の視度等にもよるが、第１眼底画像の撮影範囲は、５００μｍ角程度とされる。
【００２４】
さらに、偏向部４００に設けられたＸ走査用のガルバノミラーとＹ走査用のガルバノミラーの反射角度が第１眼底画像の撮像画角より大きく移動されることによって、眼底における第１眼底画像の撮像位置（つまり、レーザー光の走査範囲）が変更される。
【００２５】
第２撮影ユニット２００は、第１撮影ユニット１００の画角よりも広画角の眼底画像（第２眼底画像）を取得するためのユニットである。第２眼底画像は、例えば、第１眼底画像を得るための位置指定、および位置確認用の画像として用いられる。本実施形態の第２撮影ユニット２００は、被検眼Ｅの眼底画像を広画角（例えば２０度〜６０度程度）でリアルタイムに取得および観察できる構成であることが好ましい。例えば、第２撮影ユニット２００として、既存の眼底カメラの観察・撮影光学系、および走査型レーザー検眼鏡（Scanning Laser Ophthalmoscope：ＳＬＯ）の光学系および制御系が利用されてもよい。
【００２６】
前眼部観察ユニット７００は、被検眼Ｅの前眼部を可視光で照明し、前眼部正面像を撮像するユニットである。前眼部観察ユニット７００で撮像された画像は、モニタ８５０に出力される。前眼部観察ユニット７００によって取得される前眼部画像は、撮影部５００と被検眼Ｅとのアライメントに利用される。なお、ダイクロイックミラー９５は、第２撮影ユニット２００からの光束を透過させ、前眼部観察ユニット７００からの光束を反射させる特性を持つ。
【００２７】
次に、収差検出光学系１１０について説明する。収差検出光学系１１０は、波面センサ７３を有する。また、収差検出光学系１１０は、被検眼Ｅの眼底に測定光を投光し、測定光の眼底反射光を、指標パターン像として波面センサ７３で受光（検出）する。収差検出光学系１１０は、一部の光学素子を第１照明光学系１００ａおよび第１撮影光学系１００ｂの光路上（本実施形態では、共通光路上）に持ち、光学系１００ａ，１００ｂと光路を一部共用している。つまり、本実施形態の収差検出光学系１１０は、光学系１００ａ，１００ｂの光路上に配置されたＢＳ７１から凹面ミラー４５までを、光学系１００ａ，１００ｂと共用する。更に、収差検出光学系１１０は、光源７６、レンズ７７、ＰＢＳ７８、ＢＳ７５、ＢＳ７１、ダイクロイックミラー８６、ＰＢＳ８５、レンズ８４、平面ミラー８３、レンズ８２、を有する。
【００２８】
光源７６は、被検眼Ｅの収差検出に使用される。本実施形態において、光源７６は、光源１１と異なる波長の光を発する。光源７６から出射した測定光は、レンズ７７によって平行光束とされた後、ＰＢＳ７８に入射される。
【００２９】
ＰＢＳ７８は、波面補償部に備えられた第１偏光手段の一例である。ＰＢＳ７８は、光源７６から出射された光を所定の方向に偏光する。より詳細には、ＰＢＳ７８は、ＰＢＳ１４の偏向方向（つまり、Ｓ偏光）とは、直交する方向（即ち、Ｐ偏光）に偏光する。ＰＢＳ７８を経た光は、ＢＳ７５によって反射されることによって、第１照明光学系１００ａの光路に導かれる。その結果、測定光は、第１照明光学系１００ａの光路を経て被検眼Ｅの眼底に集光される。
【００３０】
測定光は、眼底の集光位置（例えば、網膜表面）で反射される。測定光の眼底反射光は、第１照明光学系１００ａの光路（つまり、第１撮影光学系１００ｂの光路）を、投光時とは逆に辿る。途中、測定光は、波面補償デバイス７２によって反射される。その後、測定光は、ＢＳ７１によって反射されることによって、第１照明光学系１００ａの光路を外れる。更にその後、測定光は、ダイクロイックミラー８６によって反射され、ＰＢＳ８５、レンズ８４、平面ミラー８３、レンズ８２を経て、波面センサ７３へと導かれる。
【００３１】
ＰＢＳ８５は、波面補償部に備えられた第２偏光手段である。ＰＢＳ８５は、光源７６から被検眼Ｅに照射された光のうち、一方向に偏波した光（ここでは、Ｓ偏光光）を透過することによって、波面センサ７３へと導光するために利用される。また、ＰＢＳ８５は、透過した成分とは直交する方向に偏波された成分（Ｐ偏光光）を遮断する。なお、ダイクロイックミラー８６は、光源１１の波長の光（８４０ｎｍ）を透過し、収差検出用の光源７６の波長の光（７８０ｎｍ）を反射する特性とされる。従って、波面センサ７３では、測定光の眼底反射光のうちＳ偏光成分を持つ光が検出される。このようにして、角膜や光学素子で反射される光が波面センサ７３に検出されることを抑制している。
【００３２】
波面センサ７３は、被検眼Ｅの波面収差を検出するために、収差測定用の測定光の眼底反射光を受光する。波面センサ７３としては、低次収差および高次収差を含む波面収差を検出できる素子（より詳細には、ハルトマンシャック検出器、および、光強度の変化を検出する波面曲率センサ等）等が利用されてもよい。本実施形態において、波面センサ７３は、例えば、多数のマイクロレンズからなるマイクロレンズアレイと、マイクロレンズアレイを透過した光束を受光させるための二次元撮像素子７３ａ（又は、二次元受光素子）と、を有する。波面センサ７３のマイクロレンズアレイは、被検眼Ｅの瞳と略共役な位置に配置される。また、二次元撮像素子７３ａの撮像面（受光面）は、被検眼Ｅの眼底と略共役な位置に配置される。
【００３３】
二次元撮像素子７３ａの撮像面には、マイクロレンズアレイを透過した光束によって、指標パターン像６１（本実施形態では、ハルトマン像）が形成される（図示を省略する）。よって、眼底反射光は、マイクロレンズアレイを通過して二次元撮像素子７３ａに受光されることによって、ハルトマン像（ドットパターン像）として撮像される。本実施形態では、ハルトマン像から被検眼の収差情報が取得され、収差情報に基づいて波面補償デバイス７２が制御される。なお、ハルトマン像の詳細については、後述する。
【００３４】
波面補償デバイス７２は、眼底撮像光学系１００の光路中に配置され、入射光の波面を制御することによって、被検眼Ｅの波面収差を補償する。本実施形態において、波面補償デバイス７２には、液晶空間光変調器が使用されてもよい。一例として、以下では、反射型のＬＣＯＳ（Liquid Crystal On Silicon）等が使用されるものとして説明する。この場合、波面補償デバイス７２は、光源１１からのレーザー光（Ｓ偏光光）、該レーザー光の眼底反射光（Ｓ偏光光）、波面収差検出用光の反射光（Ｓ偏光成分）等の所定の直線偏光（Ｓ偏光）に対して収差を補正することが可能な向きに配置される。その結果、波面補償デバイス７２は、入射する光のＳ偏光成分を変調できる。また、本実施形態において、波面補償デバイス７２の反射面は、被検眼の瞳と略共役となる位置に配置される。
【００３５】
本実施形態の波面補償デバイス７２において、液晶層内の液晶分子の配列方向は、入射する反射光の偏光面と略平行である。また、液晶分子が液晶層への印加電圧の変化に応じて回転する所定の面は、波面補償デバイス７２に対する眼底反射光の入射光軸および反射光軸と、波面補償デバイス７２が持つミラー層の法線と、を含む平面に対して略平行に配置されている。
【００３６】
なお、本実施例において、波面補償デバイス７２は液晶変調素子とし、特に、反射型のＬＣＯＳ等を用いるものとしているが、これに限るものではない。他の反射型の波面補償デバイスであってもよい。例えば、ＭＥＭＳ（Micro Electro Mechanical Systems）の１形態であるデフォーマブルミラーが使用されてもよい。また、反射型の波面補償デバイスではなく、透過型の波面補償デバイスが使用されてもよい。透過型のデバイスでは、眼底からの反射光を透過させて波面収差が補償される。
【００３７】
なお、以上の説明では、収差検出用光源として、第１光源とは異なる波長の照明光を出射する光源を用いたが、第１光源が収差検出用光源を兼用していてもよい。
【００３８】
なお、以上説明した本実施形態では、波面センサおよび波面補償デバイスを被検眼の瞳共役としたが、被検眼の前眼部の所定部位と略共役な位置であればよく、例えば、角膜共役であってもよい。
【００３９】
次に、図３のブロック図を参照して、本実施形態の眼底撮影装置１における電気的構成を説明する。眼底撮影装置１は、制御部８００（演算制御部）を有している。制御部８００は、眼底撮影装置１における装置全体の制御、および演算処理を行うプロセッサである。制御部８００は、例えば、ＣＰＵおよびメモリ等の組み合わせからなる。本実施形態において、制御部８００は、各種の第１眼底画像の形成等の画像処理を行う画像処理部を兼用する。但し、必ずしもこれに限られるものではなく、各種の画像処理を行う画像処理回路は、制御部８００とは別体に設けられていても良い。
【００４０】
本実施形態において、制御部８００には、記憶部８０１、操作入力部８０２、モニタ８５０、が電気的に接続される。また、制御部８００には、光源１、駆動部１０ａ、走査部１５、波面補償デバイス７２、波面センサ７３、光源７６、第２撮影ユニット２００、偏向部４００、が電気的に接続される。また、制御部８００には、受光素子５６、信号増幅部５７、およびアナログ／デジタル変換器５８（以下、「Ａ／Ｄ変換器」と省略する）が直列接続されている。本実施形態では、信号増幅部５７からの増幅受光信号を量子化し、所定の階調で表される画像（具体的には、細胞画像）として取り込むための画像形成部は、便宜上、Ａ／Ｄ変換器５８と制御部８００との組み合わせとして形成されるものとする。
【００４１】
記憶部８０１は、各種の制御プログラムおよび固定データを格納する。また、記憶部８０１には、眼底撮影装置１によって撮影された画像、一時データ等が記憶されてもよい。
【００４２】
制御部８００は、操作入力部８０２から出力される操作信号に基づいて、第１撮影ユニット１００等の上記の各部材を制御する。操作入力部８０２は、検者によって操作される操作部材として図示無きマウス等の操作部材を備える。
【００４３】
モニタ８５０は、眼底撮影装置１に搭載された表示モニタであってもよいし、眼底撮影装置１とは別体の汎用の表示モニタであってもよい。また、これらが併用された構成であってもよい。モニタ８５０は、眼底撮影装置１で撮影される眼底画像（第１眼底画像、および第２眼底画像）を、動画像および静止画像のそれぞれで表示できる。
【００４４】
なお、制御部８００による波面補償デバイス７２の制御は、波面センサ７３によって検出される波面収差に基づいて実行される。本実施形態では、波面センサ７３からの検出信号に基づく波面補償デバイス７２のフィードバック制御が行われる。波面補償デバイス７２が制御されることによって、光源７６の反射光のＳ偏光成分と共に、光源１から出射されるレーザー光と該レーザー光の眼底反射光の高次収差が取り除かれる。このようにして、光源１から出射されたレーザー光、および該レーザー光の眼底反射光が持つ収差が取り除かれる。その結果、被検眼Ｅの高次収差が取り除かれた（波面補償された）高解像度の第１眼底画像（即ち、波面補償画像）が眼底撮影装置１によって取得される。なお、このとき、低次の収差は、視度補正部１０によって補正される。
【００４５】
信号増幅部５７は、受光素子５６から出力される受光信号の振幅を増幅した信号である増幅受光信号を出力する。増幅受光信号は、Ａ／Ｄ変換器５８によって所定の階調（つまり、階調値の範囲）で量子化（アナログ／デジタル変換）されたうえで、制御部８００に取得される。結果、制御部８００は、増幅受光信号の振幅の大きさに応じた階調値の画素を形成する。なお、第１実施形態において、階調は、Ａ／Ｄ変換器５７における信号入力範囲および信号分解能に基づいて定められる（例えば、２５６階調）。そして、制御部８００は、１フレーム分の増幅受光信号から生成される画素に基づいて１フレームの第１眼底画像を形成する。このようにして、Ａ／Ｄ変換器５８および制御部８００（つまり、本実施形態における画像形成部）によって、増幅受光信号が、所定の階調で表される細胞画像として取り込まれる。
【００４６】
図４に示すように、信号増幅部５７には、制御部８００からの制御信号が入力される。これにより、信号増幅部５７では、入力（つまり、受光信号）に対するオフセット、およびゲインが、制御部８００からの制御信号に基づいて調節可能である。このような信号増幅部５７の具体的構成の一例を、図４に示す。例えば、受光素子５６とＡ／Ｄ変換器５８との間に、直列的に挿入された乗算器５７ａおよび加算器５７ｂの組み合わせによって、信号増幅部５７は形成されても良い。例えば、図４の信号増幅部５７では、受光素子５６からの信号が乗算器５７ａに入力される。更に、乗算器５７ａで増幅された信号が加算器５７ｂに入力される。その結果、乗算器５７ａによる信号の振幅の増倍と、加算器５７ｂによるオフセットとが、独立に行われる。なお、図４の例では、制御部８００は、加算器５７ｂおよび乗算器５７ａに対して個別に制御信号を出力することで、オフセットおよびゲインをそれぞれ独立に調節する。
【００４７】
以上のような構成と持つ本装置の動作を、図５に示すフローチャートを参照して説明する。眼底撮影装置１は、電源がオンされた後、記憶部８０１に記憶された制御プログラムに従って動作する。
【００４８】
はじめに、被検眼Ｅに対する撮影部５００のアライメントが行われる（Ｓ１）。例えば、制御部８００は、前眼部観察ユニット７００を用いてリアルタイムな前眼部画像を取得すると共に、前眼部画像をモニタ８５０に表示させる。検者は、モニタ８５０上の前眼部画像を観察しながら、顎台６１０の位置調整を手動又は自動で行い、アライメントを行う。この場合において、検者は、図示無き固視標を被検者が固視するように指示する。
【００４９】
本実施形態では、アライメントが完了した後、操作入力部８０２に設けられた開始スイッチが検者によって操作されると、第１撮影ユニット１００を用いた第１眼底画像の取得が開始される。
【００５０】
まず、制御部８００は、波面補償制御を開始する（Ｓ２）。これによって、被検眼の波面収差が、波面センサ７３で逐次検出されると共に、検出結果に基づいて波面補償デバイス７２が逐次駆動される。その結果、波面収差が補償された状態での被検眼からの反射光が、受光素子５６によって受光されるようになる。よって、画像形成部によって形成される第１眼底画像において、波面収差の影響が抑制される。また、被検眼Ｅの波面検出の結果に基づいて視度補正部１０を制御することで、制御部８００が視度補正を自動的に行ってもよい。なお、Ｓ２の処理が実行された以降、波面補償制御は、後述の各処理とは並行して、逐次行われるものとする。
【００５１】
次に、制御部８００は、Ｓ３からＳ５の処理を、撮影指示が入力されるまで（つまり、Ｓ５：Ｙｅｓとなるまで）繰り返し実行し、受光素子５６からの受光信号の増幅制御を逐次行いつつ、第１眼底画像を逐次生成する。
【００５２】
Ｓ３からＳ５のループ処理において、制御部８００は、まずは、第１眼底画像を形成する。より詳細には、制御部８００は、走査部２５および偏向部４００を用いた１フレーム分の走査毎に、Ａ／Ｄ変換器５８から出力される量子化された受光信号（より詳細には、増幅受光信号）に基づいて、１枚の第１眼底画像を形成する。本実施形態では、０〜２５５の範囲の値で、第１眼底画像における各画素の階調値は表される。なお、本実施形態において、より明るい画素ほど階調値は高く、より暗い画素ほど階調値は低いものとする。また、制御部８００は、形成した第1眼底画像を、モニタ８５０に表示させる。なお、第１眼底画像を表す階調値の範囲は、上記の０〜２５５（つまり、２５６階調）に限られるものではなく、例えば、０〜５１１（つまり、５１２階調）等、他の階調値の範囲を採用し得る。また、検者からの操作入力に応じて、第１眼底画像を表す階調値の範囲を、複数の候補から選択する構成であってもよい。
【００５３】
次に、制御部８００は、増幅制御処理（Ｓ４）を行う。これにより、信号増幅部５７において受光素子５６から出力される受光信号の増幅度合を調整する。本実施形態における増幅制御処理（Ｓ４）では、オフセットおよびゲインの少なくとも一方が、第1眼底画像の階調分布に基づいて調整される。上記の通り、本実施形態では、撮影の指示が入力されるまでの間、第１眼底画像の取り込みと、取り込んだ第１眼底画像に基づく受光信号の増幅制御とが、交互に、くり返し行われる。その結果として、細胞に関する解析に適した良好な第１眼底画像を得ることができる（詳細は後述する）。
【００５４】
ここで、図６を参照して、増幅制御処理（Ｓ４）に含まれる処理の一例を説明する。
【００５５】
図６の例では、まず、制御部８００は、Ｓ３の処理によって予め取り込まれた第１眼底画像を解析して、第１眼底画像における階調分布を取得する（Ｓ２１）。この場合において、本実施形態では、第1眼底画像の画素数を１階調値毎に示したヒストグラム（例えば、図７Ａ〜図７Ｅ参照）が、制御部８００によって取得される。但し、ヒストグラムを構成するビンは、１階調値毎に設定される必要はなく、一定の幅毎（例えば、５階調毎等）に設定されていてもよい。
【００５６】
次に、制御部８００は、ヒストグラムを解析し、ヒストグラムにおいて画素が分布する階調値の範囲（つまり、画素の分布範囲）を定める境界値（Ｌｐｖ，Ｈｐｖ）を取得する（Ｓ２２）。Ｌｐｖ、Ｈｐｖは、それぞれ、図７Ａ〜図７Ｅに示すように、ヒストグラムにおける画素の分布範囲における低輝度側端部の階調値と、高輝度側端部の階調値と、である。
【００５７】
より具体的な境界値（Ｌｐｖ，Ｈｐｖ）の定義は、いわゆる当業者によって適宜設定し得る。その際、ノイズ分、装置の特性等を考慮して算出してもよい。例えば、単純に、分布の最大値、最小値を、分布範囲の境界値（Ｌｐｖ，Ｈｐｖ）としてもよい。また、それぞれの境界値（Ｌｐｖ，Ｈｐｖ）は、分布の最大値，最小値から、ビン数本分だけ（例えば、３本分だけ等）中央値（或いは、平均値、最頻値等）側の値として定めてもよい。また、境界値（Ｌｐｖ，Ｈｐｖ）は、階調値毎の累積度数（画素数）を考慮して定めてもよい。例えば、第１細胞画像における画素数の例えば９９．９８パーセント程度が、ＬｐｖとＨｐｖとの間に含まれ、ＬｐｖおよびＨｐｖの外側にある画素数が例えば各０．０１パーセント程度となるように、境界値（Ｌｐｖ，Ｈｐｖ）を定めてもよい。更に、ビニング処理した第1眼底画像からヒストグラムを得て、境界値（Ｌｐｖ，Ｈｐｖ）を求めてもよい。
【００５８】
増幅制御処理（Ｓ４）では、Ｓ２３以降の処理によって、オフセットおよびゲインの一方が調整される。詳細は後述するが、本実施形態において、制御部８００は、高輝度側境界Ｈｐｖを第１眼底画像において取り得る最大階調値（２５５）より低く，低輝度側境界Ｌｐｖを第1眼底画像において取り得る最少階調値（０）よりも高くする。
【００５９】
また、本実施形態において、制御部８００は、ＨｐｖとＬｐｖとの差を、閾値Ｗｔｈよりも大きくするように、オフセットおよびゲインの少なくとも一方を調節する。閾値Ｗｔｈは、細胞解析において細胞画像に含まれる各細胞を識別するための閾値であってもよい。例えば、解析処理において、視細胞の識別が、細胞頂点（細胞中心）の検出によって行われる場合は、その検出範囲において、細胞の頂点部分と、その頂点部分を囲む周辺部分とを、異なる階調で表示し得る値が、Ｗｔｈとして設定されるとよい。
【００６０】
ここで、閾値Ｗｔｈは、第１細胞画像を表す階調範囲における最大階調値と最小階調値との差を示す値に近いほど（例えば、第１眼底画像が２５６階調で表される場合は、２５６に近いほど）、多くの階調でもって第１眼底画像を表すことができるようになる。よって、細胞の解析をより良好に行うことができるようになる。しかし、この場合、ヒストグラムが一定の状態に収束し難くなる。つまり、逐次取得される第１眼底画像の画質が不安定になりやすい。また、安定するまでの時間が長くなりやすい。つまり、画質の安定しやすさと、第１眼底画像において細胞の描写に実質的に使用する階調値の範囲とは、トレードオフの関係にある。画質が速やかに安定し、且つ、多くの階調で細胞が表される第１眼底画像を得るには、例えば、第１細胞画像を表す階調範囲における最大階調値と最小階調値との差の７０パーセント以上、９０パーセント以下の値にＷｔｈを設定することが好ましい（より好適には、７５パーセント以上、８５パーセント以下）。本実施形態では、８０パーセント程度の値（例えば、約２００）が、閾値Ｗｔｈとして設定されている。但し、上記の好適な範囲は一例であり、信号増幅部５７の特性、および、制御部８０の処理速度等に応じて、閾値Ｗｔｈの好適な範囲は、変動し得る。
【００６１】
図６の例において、制御部８００は、Ｓ２３の処理によって、ヒストグラムの分布範囲における高輝度側境界の階調値Ｈｐｖが最大階調値２５５であり、且つ、ヒストグラムの分布範囲における低輝度側境界の階調値Ｌｐｖが最小階調値０であるか否かを判定する（Ｓ２３）。Ｈｐｖが最大階調値２５５であり、且つ、Ｌｐｖが最小階調値０である場合（Ｓ２３：Ｙｅｓ）のヒストグラムは、例えば、図７Ｂのようになる。つまり、この場合、ゲインが高く、第1眼底画像において、黒つぶれと、白とびとがいずれも生じていると考えられる。そこで、この場合（Ｓ２３：Ｙｅｓ）、制御部８００は、ゲインを下げる（Ｓ２８）。結果、その後取得される第１眼底画像において、黒つぶれと、白とびとが軽減されるようになる。そして、増幅制御処理（Ｓ４）を終了し、Ｓ５の処理（図５参照）に移行する。
【００６２】
また、Ｈｐｖが最大階調値２５５ではない、および／又は、Ｌｐｖが最小階調値０ではない場合は（Ｓ２３：Ｎｏ）、Ｓ２４の判定処理が実行される。即ち、Ｈｐｖが最大階調値２５５であるか否かが判定される（Ｓ２４）。本実施形態において、Ｓ２４の判定が行われる前にＳ２３：Ｎｏの判定がされていることから、Ｈｐｖが最大階調値２５５と判定される場合（Ｓ２４：Ｙｅｓ）は、Ｌｐｖは最小階調値０以外の値である。この場合、ヒストグラムは、例えば、図７Ｃのようになっている。つまり、この場合、オフセットが高く、第1眼底画像において白とびが生じていると考えられる。そこで、この場合（Ｓ２４：Ｙｅｓ）、制御部８００は、オフセットを下げる（Ｓ２９）。これにより、白とびが抑制される。そして、増幅制御処理（Ｓ４）を終了し、Ｓ５の処理（図５参照）に移行する。
【００６３】
一方、Ｈｐｖが最大階調値２５５ではないと判定された場合は（Ｓ２４：Ｎｏ）、Ｓ２５の判定処理が実行される。即ち、Ｌｐｖが最少階調値０か否かが判定される（Ｓ２５）。本実施形態において、Ｓ２４の判定が行われる前にＳ２３：Ｎｏの判定がされていることから、Ｌｐｖが最少階調値０であると判定される場合（Ｓ２５：Ｙｅｓ）は、Ｈｐｖは最大階調値２５５以外の値である。この場合、ヒストグラムは、例えば、図７Ｄのようになっている。つまり、この場合、オフセットが低く、第1眼底画像において黒つぶれが生じていると考えられる。そこで、この場合（Ｓ２５：Ｙｅｓ）、制御部８００は、オフセットを上げる（Ｓ３０）。これによって、黒つぶれが抑制される。そして、増幅制御処理（Ｓ４）を終了し、Ｓ５の処理（図５参照）に移行する。
【００６４】
また、Ｓ２５において、Ｌｐｖが最少階調値０とは異なると判定された場合（Ｓ２５：Ｎｏ）、制御部８００は、更に、Ｌｐｖが、第１眼底画像の細胞において最低減の明るさを設定するための閾値Ｌｔｈ（第３閾値）よりも大きいか否かを判定する（Ｓ２６）。閾値Ｌｔｈは、第１眼底画像の低輝度部分の階調値（いわゆる黒レベル）を安定させるために設定されている。例えば、第１眼底画像を表す階調値の範囲における最大階調値と最小階調値との差の例えば、３パーセント程度の値に設定されてもよい。Ｓ２３：Ｎｏ、且つ、Ｓ２４：Ｎｏの場合に、Ｓ２５の判定が行われることから、この場合、第1眼底画像には、白とびも、黒つぶれも大きく生じていないと考えられる。但し、Ｓ２５の処理において、Ｌｐｖ＞Ｌｔｈと判定される場合は（つまり、Ｓ２６：Ｙｅｓ）、全体的に画像の明るさ（ブライトネス）が高くコントラストが低い場合であると考えられる。そこで、本実施形態では、この場合（Ｓ２６：Ｙｅｓ）、オフセットを下げる（Ｓ３１）。その結果として、第1眼底画像の黒レベルを、画像毎に一定にすることができ、且つ、コントラストを向上させることができる。その後、増幅制御処理（Ｓ４）を終了し、Ｓ５の処理（図５参照）に移行する。
【００６５】
また、Ｓ２６において、Ｌｐｖが、閾値Ｌｔｈ以下であると判定される場合は（Ｓ２６：Ｎｏ）、Ｓ２７の処理が行われる。Ｓ２７では、ＨｐｖとＬｐｖとの差が、閾値Ｗｔｈよりも小さな値か否かが判定される。Ｈｐｖ−Ｌｐｖ＜Ｗｔｈである場合には（Ｓ２７：Ｙｅｓ）、第1眼底画像において、実質的に使用される階調がＷｔｈよりも少ないということである。この場合、例えば、ヒストグラムは、図７Ｅのようになる。そこで、この場合（Ｓ２７：Ｙｅｓ）、制御部８００は、ゲインを上げることによって、実質的に使用される階調を増加させる（Ｓ３２）。これによって、第1眼底画像において、細胞が、豊富な階調を用いて表わされる。その後、増幅制御処理（Ｓ４）を終了し、Ｓ５の処理（図５参照）に移行する。また、Ｓ２７の処理において、ＨｐｖとＬｐｖとの差が閾値Ｗｔｈより大きいと判定された場合にも、増幅制御処理（Ｓ４）を終了し、Ｓ５の処理に移行する。
【００６６】
以上の増幅制御処理（Ｓ４）のうち、Ｓ２８からＳ３２のそれぞれの処理において調整されるオフセット、ゲイン、あるいはその両方の変化量は、一定値であってもよい。また、ヒストグラムの状態に応じて変化量を調整する制御が行われてもよい。より具体的な値は、制御部８００の処理速度、加算器５７ｂおよび乗算器５７ａの特性等、に応じて適宜設定できる。目標変化量が適切に設定されることで、オフセットおよびゲインの調整を短時間で完了させる（つまり、オフセットおよびゲインの値を収束させる）ことができる。また、Ｓ４の処理における処理の順番および内容は、上記に限られるものではない。装置の特性および、調整完了までの目標時間等に応じて適宜変更可能である。例えば、本実施形態では、増幅制御処理Ｓ４が一度実行される度に、オフセットおよびゲインの一方のみの調整が実行される場合について説明した。しかし、必ずしもこれに限られるものではなく、オフセットおよびゲインの両方の調整が行われるようにしてもよい。  
【００６７】
図５に戻って説明を続ける。前述したように、制御部８００は、第1眼底画像の取り込み（Ｓ３）と、増幅制御処理による受光信号の増幅量調整（Ｓ４）と、交互に、繰り返し行う。よって、先に取得した第1眼底画像に基づいて受光信号の増幅量が調整された状態で、新たな第1眼底画像の取り込みが行われる。これが繰り返されることによって、結果として、細胞の解析に適した良好な第１眼底画像が得られる。より具体的には、白とび、黒つぶれが少なく、少なくとも閾値Ｗｔｈよりも多くの階調を用いて表された第1眼底画像を得ることができる。また、本実施形態では、波面補償制御が行われるので、波面補償デバイス７２の駆動状態の変化に応じて第1眼底画像の状態は逐次変化していく。しかし、このような画像に対しても、上記の受光信号の増幅制御は、良好な第１眼底画像を得るうえで有効である。
【００６８】
また、本実施形態では、波面補償制御と並行して、第１眼底画像の取得（Ｓ３）と、増幅制御処理（Ｓ４）とが行われる。つまり、波面を補正することで、受光素子５６に受光される光の強度を適正に高めた状態で、第１眼底画像が取り込まれる。よって、良好な第１眼底画像に基づいてオフセットとゲインを調整できる。その結果、オフセットおよびゲインが速やかに収束しやすい。
【００６９】
検者は、モニタ８５０に表示される第1眼底画像を確認し、制御部８００による増幅調整が落ち着いてきた段階で、撮影指示を、操作入力部８０２に対して入力する。これによって、第1眼底画像の撮影処理が行われる（Ｓ６）。例えば、制御部８００は、第１眼底画像の撮影を、被検眼Ｅの同一位置に対して複数回行うことで、その複数枚の画像を、第1眼底画像の撮影画像として得ても良い。また、複数枚の第1眼底画像に対して加算平均処理を施した加算平均画像を、撮影画像として生成しても良い。
【００７０】
その後、制御部８００は、第１眼底画像の撮影画像を用いて、眼底を形成する細胞（例えば、視細胞、および血管細胞等）に関する画像処理（例えば、解析処理）を行ってもよい（Ｓ７）。ここでは、一具体例として、第1眼底画像の撮影画像として視細胞画像を得た場合において、視細胞に関する解析を行う場合について説明する。視細胞に関する解析では、例えば、視細胞の数および密度等を解析する場合がある。このような場合において、視細胞を正確に検出することが重要となる。第1眼底画像（図２参照）において、視細胞は、符号９０１によって示される。視細胞９０１は、細胞の中央部分（細胞頂点）がその外側に対して明るい画像として示される。本実施形態では、上記の増幅制御処理の結果として、視細胞の明るさを安定させることができ、また、第1眼底画像において多くの階調が用いられる。その結果、視細胞における中央部分とその外側部分との明暗の差を明確にすることができるので、視細胞の検出が容易となる。その結果、精度の良い解析結果を得ることができる。
【００７１】
以上、実施形態に基づいて説明を行ったが、上記実施形態にかかる技術を次のように変形しても良い。
【００７２】
例えば、上記実施形態では、第1眼底画像の全範囲における階調分布に基づいて、受光信号の増幅量が調整される場合について説明した。しかし、必ずしもこれに限られるものではなく、第1眼底画像の一部分における階調分布に基づいて、受光信号の増幅量が調整されてもよい。この場合、第1眼底画像において、増幅量の調整に階調分布が使用される範囲（つまり、注目領域、以下、ＲＯＩと称す。）は、マウス等を介して検者によって指定される範囲であってもよい。ここで、図１０に、ＲＯＩの設定された眼底画像の一例を示す。図１０に示すように、第１眼底画像において検者の所望する範囲に対し、ＲＯＩが設定されてもよい。また、ＲＯＩの範囲指定は、Ｓ７における解析範囲の指定と兼用されてもよい。この場合、検者が解析したい領域において、コントラストおよび階調が良好に設定されるので、所期する領域についての解析結果を精度よく得ることができる。このようなＲＯＩを、例えば、視細胞９０１の密集箇所に設定した場合、その密集箇所における各視細胞が明確化し、また、例えば、血管部分９０２に設定した場合、血管の内皮と外皮との区別が明確化し得る。
【００７３】
また、第1眼底画像において、ＲＯＩに指定された箇所には、第1眼底画像においてＲＯＩを識別するための識別表示が付されても良い。識別表示としては、図１０に示すように、ＲＯＩの設定範囲を囲む線Ｌであってもよいし、ＲＯＩの設定範囲を異なる色等で周囲と区別するような表示態様であるとよい。
【００７４】
また、先の撮影において設定されたオフセットおよびゲインを、撮影条件データとして記憶部へ記憶すると共に、その後の撮影において、撮影条件データとして記憶されている先の撮影のオフセットおよびゲインを使用可能とする構成であってもよい。制御部８００は、例えば、オフセットおよびゲインの調整が完了した場合（例えば、オフセットおよびゲインの値が収束した場合）、撮影指示が入力された場合、又は、撮影条件の記憶指示が検者から入力された場合に、その時点におけるオフセット及びゲインの調整量を記憶するようにしてもよい。このときと同じ撮影位置で行う場合において、予め記憶された調整量を再現することは有用である。即ち、受光信号の増幅量調整に要する時間を短くすることができる。また、同じ撮影条件の画像が得られるので、異なる時期に撮影された画像を比較する場合（例えば、フォローアップ撮影時）に有用である。
【００７５】
また、上記実施形態におけるオフセットおよびゲインの調整制御を行う撮影モードである第1の撮影モードと、該調整制御を行わない撮影モードである第2の撮影モードとを、切り替え可能な構成であっても良い。例えば、上記実施形態で示したように、細胞の解析を行う場合には、オフセットおよびゲインの調整制御は有用である。しかし、小口病等の診断には、画像の明るさ自体が重要な指標となり得る。よって、この場合、上記の調整制御を行わないことが好ましい。そこで、このような場合には、制御部８００は、検者からの入力指示などに基づいて、第2モードを設定し、オフセットおよびゲインを規定値にした状態で撮影が行われるようにしてもよい。
【００７６】
また、上記実施形態では、第1眼底画像のヒストグラムにおいて、画素が分布する分布範囲の高輝度側境界Ｈｐｖを最大階調値２５５より低く，分布範囲の低輝度側境界Ｌｐｖを最少階調値０よりも高くすると共に、高輝度側境界の階調値と低輝度側境界の階調値との差Ｈｐｖ−Ｌｐｖを、細胞を区別して示すための閾値Ｗｔｈよりも大きくするように、オフセットおよびゲインの少なくとも一方を調節する場合について説明した。しかし、受光信号の増幅量の制御方法は、必ずしもこれに限られるものではない。例えば、制御部８００は、高輝度側境界の階調値と低輝度側境界の階調値との差Ｈｐｖ−Ｌｐｖを閾値Ｗｔｈよりも大きくするようにゲインを調整し、且つ、ヒストグラム、或いは、ヒストグラムにおける画素の分布範囲における最大階調領域と最小階調領域とに分布する画素の数を、所定の閾値（第２閾値）以下とするように、オフセットおよびゲインの少なくとも一方を調節するようにしてもよい。ここで、最大階調領域および最小階調領域は、複数の階調値（あるいは、ビン）にまたがる領域であってもよい。  また、ヒストグラムにおける最大階調領域は、２５６段階の階調であれば、階調値２５５またはその近傍の階調値の範囲に対応する領域であってもよく、ヒストグラムにおける最小階調領域は、階調値０またはその近傍の階調値の範囲に対応する領域であってもよい。また、分布範囲における最大階調領域は、Ｈｐｖまたはその近傍の階調値の範囲に対応する領域であってもよく、分布範囲における最小階調領域は、Ｌｐｖまたはその近傍の階調値の範囲に対応する領域であってもよい。第２閾値は、例えば、ヒストグラムを構成する全画素数をヒストグラムのビンの数で除算して得られる画素数に対して小さな値（例えば、１００分の１以下の値）である。第２閾値の値は、求められる精度との関係で適宜定められてもよく、例えば、ヒストグラムを形成する画素の数パーセント程度（例えば、０．０１パーセント）であってもよい。このような処理によっても、上記実施形態と同様に、細胞に関する解析に適した良好な細胞画像を得ることができる。
【符号の説明】
【００７７】
５６  受光素子
５７  信号増幅部
５８  Ａ／Ｄ変換器
７２  波面補償デバイス
７３  波面センサ
１００  眼底撮像光学系
１１０  波面収差検出光学系
８００  制御部
８０１  記憶部
８０２  操作入力部
【図１】
0006798096.tif 000002
【図２】
0006798096.tif 000003
【図３】
0006798096.tif 000004
【図４】
0006798096.tif 000005
【図５】
0006798096.tif 000006
【図６】
0006798096.tif 000007
【図７Ａ】
0006798096.tif 000008
【図７Ｂ】
0006798096.tif 000009
【図７Ｃ】
0006798096.tif 000010
【図７Ｄ】
0006798096.tif 000011
【図７Ｅ】
0006798096.tif 000012
【図８】
0006798096.tif 000013